(57)【特許請求の範囲】
【請求項１】
相手部材に接触して転動する合成樹脂製外環体（１０）と、該外環体（１０）に内嵌されてラジアル内径側から支持する総玉軸受（３）とを、備え、該総玉軸受（３）を被覆する第１防塵用カバー部材（６）・第２防塵用カバー部材（７）を有する引出し用ローラ構造の製造方法に於て、
上記総玉軸受（３）は、上記外環体（１０）の内周面に装着される外輪（４）と、内輪（５）と、複数のボール（８）とを、有し、該外輪（４）と該内輪（５）の間にて複数の該ボール（８）が転動自在となるように組み立て、複数の該ボール（８）と上記外輪（４）・内輪（５）との隙間（９）に、潤滑油（１３）を入れ、該隙間（９）を上記第１防塵用カバー部材（６）・第２防塵用カバー部材（７）によって閉鎖し、
上記総玉軸受（３）を組立てる前に、インサート成型にて、上記第１防塵用カバー部材（６）を、上記外環体（１０）と上記外輪（４）に一体状に挟着し、
上記総玉軸受（３）を組立てた後に、上記外環体（１０）のラジアル内径側の小凹周溝部（１１）に、上記第２防塵用カバー部材（７）を弾性変形させつつ外周端縁（１８）を嵌め込んで取付けることを特徴とする引出し用ローラ構造の製造方法。
【請求項２】
上記第１防塵用カバー部材（６）及び上記第２防塵用カバー部材（７）は、合成樹脂製である請求項１記載の引出し用ローラ構造の製造方法。
【請求項３】
総玉軸受（３）の組立て前の半製品としての外輪（４）に、円環状の第１防塵用カバー部材（６）を組み合わせて、インサート成型にて、該外輪（４）を外嵌状に被覆する合成樹脂製外環体（１０）を一体に形成すると共に上記第１防塵用カバー部材（６）を該外環体（１０）と該外輪（４）に挟着状に保持させ、
次に、上記外輪（４）のラジアル内径側に複数のボール（８）を全周にわたって配置し、複数の該ボール（８）を該外輪（４）と内輪（５）の間に転動自在として挟み込むようにして、上記総玉軸受（３）を組立て、そして、該総玉軸受（３）の上記ボール（８）と上記外輪（４）・内輪（５）の隙間（９）に潤滑油（１３）を入れ、
次に、上記外環体（１０）のラジアル内径側に形成された小凹周溝部（１１）に、円環状の第２防塵用カバー部材（７）を弾性変形させつつ外周端縁（１８）を嵌め込んで取付け、上記内輪（５）に軸（２）を挿通して固着することを特徴とする引出し用ローラ構造の製造方法。
【請求項４】
総玉軸受（３）の組立て前の半製品としての外輪（４）に、円環状の第１防塵用カバー部材（６）を組み合わせて、インサート成型にて、該外輪（４）を外嵌状に被覆する合成樹脂製外環体（１０）を一体に形成すると共に上記第１防塵用カバー部材（６）を該外環体（１０）と該外輪（４）に挟着状に保持させ、
次に、上記外輪（４）のラジアル内径側に複数のボール（８）を全周にわたって配置し、複数の該ボール（８）を該外輪（４）と内輪（５）の間に転動自在として挟み込むようにして、上記総玉軸受（３）を組立て、
次に、上記内輪（５）に軸（２）を挿通して固着し、該総玉軸受（３）の上記ボール（８）と上記外輪（４）・内輪（５）の隙間（９）に潤滑油（１３）を入れ、
次に、上記外環体（１０）のラジアル内径側に形成された小凹周溝部（１１）に、円環状の第２防塵用カバー部材（７）を弾性変形させつつ外周端縁（１８）を嵌め込んで取付けることを特徴とする引出し用ローラ構造の製造方法。
【発明の詳細な説明】
【技術分野】
【０００１】
本発明は、引出し用ローラ構造の製造方法に関する。
【背景技術】
【０００２】
従来、冷蔵庫の引出しをスライド自在に支持するための引出し用ローラが普及している（特許文献１参照）。
【先行技術文献】
【特許文献】
【０００３】
【特許文献１】特開平１１−１３９５３４号公報
【発明の概要】
【発明が解決しようとする課題】
【０００４】
特許文献１記載の引出し用ローラ構造は、ボールを保持するリテーナ（保持器）を有するリテーナタイプの軸受（ベアリング）を具備している。
【０００５】
冷蔵庫の野菜や果物等を収納するための引出しの容量が増大傾向にあって、引出しを支持するローラの負荷重量は大きくなっている。しかし、リテーナタイプの軸受は、ボール１個当りの負荷が大きくなるため重荷容量が小さいという欠点があった。引出し用ローラは、冷蔵庫内の限られた狭いスペースに設置されるものであるため、許容寸法が制限されており、車輪の外径寸法を大きく設計してボールの数を増やしたり、又は、軸受のボールの玉径を大きくしたりするのは好ましくない。つまり、引出し用ローラは、コンパクトなまま重荷容量を大きくすることが要求され、リテーナタイプの軸受では、その対応が難しかった。
【０００６】
そこで、従来より用いられてきた総玉タイプの軸受とすれば、より多くのボールで荷重を分担でき、サイズを変更することなく重荷容量を増やすことができる。しかしながら、従来の総玉タイプの軸受は、内輪が単一のものであると、ボールを組み込むことができないため、内輪を２個に分割した構造であり、ボールの組込み後、分割内輪を組み立てて構成されていた。よって、総玉タイプの軸受は、ボールと内輪の接触による騒音を発生しやすく、また、ボールとボールが相互に摺接して摩耗しやすいという欠点があった。
【０００７】
この総玉軸受に於て、上記の欠点を克服するために、ボールと内輪・外輪の隙間に潤滑油（グリス）を注入して、滑りを良くする対策が考えられるが、隙間が封鎖されていないため潤滑油が漏出しやすく、その効果が長持ちしなかった。また、小さなゴミや埃が侵入するのを防止できなかった。
【０００８】
そこで、本発明は、コンパクトなまま重荷重に耐え、かつ、スムーズな回転が長持ちする引出し用ローラ構造を提供することを目的とする。
【課題を解決するための手段】
【０００９】
本発明に係る引出し用ローラ構造の製造方法は、相手部材に接触して転動する合成樹脂製外環体と、該外環体に内嵌されてラジアル内径側から支持する総玉軸受とを、備え、該総玉軸受を被覆する第１防塵用カバー部材・第２防塵用カバー部材を有する引出し用ローラ構造の製造方法に於て、上記総玉軸受は、上記外環体の内周面に装着される外輪と、内輪と、複数のボールとを、有し、該外輪と該内輪の間にて複数の該ボールが転動自在となるように組み立て、複数の該ボールと上記外輪・内輪との隙間に、潤滑油を入れ、該隙間を上記第１防塵用カバー部材・第２防塵用カバー部材によって閉鎖し、上記総玉軸受を組立てる前に、インサート成型にて、上記第１防塵用カバー部材を、上記外環体と上記外輪に一体状に挟着し、上記総玉軸受を組立てた後に、上記外環体のラジアル内径側の小凹周溝部に、上記第２防塵用カバー部材を弾性変形させつつ外周端縁を嵌め込んで取付けるものである。
【００１０】
また、上記第１防塵用カバー部材及び上記第２防塵用カバー部材は、合成樹脂製であるものである。
【００１１】
また、総玉軸受の組立て前の半製品としての外輪に、円環状の第１防塵用カバー部材を組み合わせて、インサート成型にて、該外輪を外嵌状に被覆する合成樹脂製外環体を一体に形成すると共に上記第１防塵用カバー部材を該外環体と該外輪に挟着状に保持させ、次に、上記外輪のラジアル内径側に複数のボールを全周にわたって配置し、複数の該ボールを該外輪と内輪の間に転動自在として挟み込むようにして、上記総玉軸受を組立て、そして、該総玉軸受の上記ボールと上記外輪・内輪の隙間に潤滑油を入れ、次に、上記外環体のラジアル内径側に形成された小凹周溝部に、円環状の第２防塵用カバー部材を弾性変形させつつ外周端縁を嵌め込んで取付け、上記内輪に軸を挿通して固着する製造方法である。
【００１２】
また、総玉軸受の組立て前の半製品としての外輪に、円環状の第１防塵用カバー部材を組み合わせて、インサート成型にて、該外輪を外嵌状に被覆する合成樹脂製外環体を一体に形成すると共に上記第１防塵用カバー部材を該外環体と該外輪に挟着状に保持させ、次に、上記外輪のラジアル内径側に複数のボールを全周にわたって配置し、複数の該ボールを該外輪と内輪の間に転動自在として挟み込むようにして、上記総玉軸受を組立て、次に、上記内輪に軸を挿通して固着し、該総玉軸受の上記ボールと上記外輪・内輪の隙間に潤滑油を入れ、次に、上記外環体のラジアル内径側に形成された小凹周溝部に、円環状の第２防塵用カバー部材を弾性変形させつつ外周端縁を嵌め込んで取付ける製造方法である。
【発明の効果】
【００１３】
本発明の引出し用ローラ構造の製造方法によれば、寸法の限られた狭いスペースにも設置できるコンパクトな寸法のままで、大きな荷重を支持するローラ構造が得られる。また、第１防塵用カバー部材・第２防塵用カバー部材により、小さなゴミや埃が総玉軸受に侵入するのを防止でき、潤滑油が漏出するのを抑制して長期間保持できる。
本発明の引出し用ローラ構造の製造方法によれば、相手部材に接触して転動する外環体を回転軸心に対して偏心させることなく形成でき、かつ、第１防塵用カバー部材を確実に外輪に取り付けることができる。また、総玉軸受を組立てた後、第２防塵用カバー部材を簡単に取り付けることができ、小さなゴミや埃が総玉軸受に侵入するのを防止でき、かつ、潤滑油の漏出を抑制して長期間保持できる。
【図面の簡単な説明】
【００１４】
【図１】本発明の実施の一形態を示した断面正面図である。
【図２】本発明の実施の一形態を示した破断側面図である。
【図３】本発明の製造方法を示した断面正面図である。
【図４】本発明の製造方法を示した断面正面図である。
【図５】本発明の製造方法を示した断面正面図である。
【図６】本発明の製造方法を示した断面正面図である。
【図７】本発明の製造方法を示した断面正面図である。
【図８】本発明の製造方法を示した断面正面図である。
【図９】本発明の他の製造方法を示した断面正面図である。
【図１０】本発明の他の製造方法を示した断面正面図である。
【図１１】本発明の他の製造方法を示した断面正面図である。
【図１２】本発明の他の製造方法を示した断面正面図である。
【発明を実施するための形態】
【００１５】
以下、実施の形態を示す図面に基づき本発明を詳説する。
本発明の引出し用ローラ構造は、冷蔵庫内に設置される野菜や果物等を収納するための引出しに取付けられて、スライド自在に支持するものである。また、冷蔵庫本体に取付けて、引出しをスライド自在として、その荷重を支持するものであって良い。あるいは、書類や本を収納するキャビネットの引出しレールに取付けて使用することもできる。
図１と図２に示すように、本発明の引出し用ローラ構造は、相手部材に接触して転動する合成樹脂製外環体１０と、外環体１０に内嵌されてラジアル内径側から支持する総玉軸受３とを、備えたローラ本体１を、軸２に回転自在に支持させている。
【００１６】
総玉軸受３は、外環体１０の内周面に装着される外輪４と、内輪５と、複数のボール８とを、有し、外輪４と内輪５の間にて複数のボール８が転動自在となるように組み立てられている。複数の該ボール８と外輪４・内輪５との隙間９には、潤滑油１３が入れられている。
総玉軸受３は、外輪４と内輪５の間に全周（３６０°）にわたって複数のボール８を配設したものであって、リテーナ（保持器）を備えていない。なお、内輪５は、分割内輪を組み立てて構成されたものである。外輪４の内周側と内輪５の外周側には、一対の凹溝部２４，２５が形成され、この凹溝部２４，２５に複数のボール８が挟まれて保持されている。
【００１７】
また、引出し用ローラ構造は、総玉軸受３を被覆する第１防塵用カバー部材６・第２防塵用カバー部材７を有している。第１防塵用カバー部材６及び第２防塵用カバー部材７は、合成樹脂製である。
第１防塵用カバー部材６は、全体が円環状であって、断面Ｌ字状に形成されている。第１防塵用カバー部材６は、総玉軸受３を組立てる前に、インサート成型にて、外環体１０と外輪４に一体状に挟着されている。第１防塵用カバー部材６の内周端縁１６は、外輪４の内周面１４よりもラジアル内径側に突出し、内輪５の一側面に摺接している。
第２防塵用カバー部材７は、全体が円環状であって、断面一文字状である。第２防塵用カバー部材７は、総玉軸受３を組立てた後に、外環体１０のラジアル内径側の小凹周溝部１１に、第２防塵用カバー部材７を弾性変形させつつ外周端縁１８を嵌め込んで取付けられている。第２防塵用カバー部材７の内周端縁１７は、内輪５の他側面に摺接している。つまり、総玉軸受３の隙間９が、第１防塵用カバー部材６・第２防塵用カバー部材７によって、軸心方向両側から閉鎖（封鎖）されている。
【００１８】
次に、引出し用ローラ構造の製造方法を説明する。
図３に示すように、総玉軸受３の組立て前の半製品としての外輪４に、円環状の第１防塵用カバー部材６を組み合わせて、インサート成型にて、外輪４を外嵌状に被覆する合成樹脂製外環体１０を一体に形成すると共に第１防塵用カバー部材６を外環体１０と外輪４に挟着状に保持させる。
インサート成型の際、断面Ｌ字状の第１防塵用カバー部材６が外輪４の外周面１５から一側面４Ａにわたって当接した状態で、合成樹脂の固化により外環体１０が形成され、第１防塵用カバー部材６はラジアル内径側に抜け落ちることがないように係止される。また、外環体１０のラジアル内径側であって、外輪４の他側面４Ｂに向かい合う箇所に、小凹周溝部１１を形成する。
【００１９】
次に、図４に示すように、外輪４のラジアル内径側に複数のボール８を全周にわたって配置し、複数のボール８を外輪４と内輪５の間に転動自在として挟み込むようにして、総玉軸受３を組立てる。そして、図５に示すように、総玉軸受３のボール８と外輪４・内輪５の隙間９に潤滑油１３を入れる。
【００２０】
次に、図６と図７に示すように、外環体１０のラジアル内径側に形成された小凹周溝部１１に、円環状の第２防塵用カバー部材７を弾性変形させつつ外周端縁１８を嵌め込んで取付ける。
第２防塵用カバー部材７は、合成樹脂製であるため、外周端縁１８を外輪４の他側面４Ｂに向けて押し込めば簡単に嵌め込むことができる。
【００２１】
図８では、総玉軸受３を組立てた後、第２防塵用カバー部材７を取り付けてから、内輪５に軸２を挿通して固着する。
軸２は、内輪５が段部に当接するまで挿入されたところで、先端部２Ａをカシめて拡径することで内輪５に係止され、総玉軸受３に固着される。
【００２２】
次に、引出し用ローラ構造の他の製造方法について説明する。
図３と図４に示すように、総玉軸受３の組立て前の半製品としての外輪４に、円環状の第１防塵用カバー部材６を組み合わせて、インサート成型にて、外輪４を外嵌状に被覆する合成樹脂製外環体１０を一体に形成すると共に第１防塵用カバー部材６を外環体１０と外輪４に挟着状に保持させ、次に、外輪４のラジアル内径側に複数のボール８を全周にわたって配置し、複数のボール８を外輪４と内輪５の間に転動自在として挟み込むようにして、総玉軸受３を組立てるところまでは、上述の製造方法と同様である。
【００２３】
総玉軸受３を組立てた後、図９と図１０に示すように、内輪５に軸２を挿通して固着し、総玉軸受３のボール８と外輪４・内輪５の隙間９に潤滑油１３を入れる。
次に、図１１と図１２に示すように、外環体１０のラジアル内径側に形成された小凹周溝部１１に、円環状の第２防塵用カバー部材７を弾性変形させつつ外周端縁１８を嵌め込んで取付ける。
【００２４】
本発明では、総玉軸受３を組立てる前に、インサート成型にて、第１防塵用カバー部材６が、外環体１０と外輪４に一体状に挟着されており、この構成により、外環体１０と総玉軸受３の同心度を高精度に保つことができる。
図示省略するが、本発明との作用・効果の相違を示す比較対象例として、外輪と内輪の間に複数のボールを転動自在に組み込んで総玉軸受を組立てた後に、総玉軸受を金型内に挿入し、溶融樹脂を注入してインサート成型を行なうと、外環体が回転軸心に対して偏心して形成され、ローラ本体がスムーズに転動しない虞れがある。その原因としては、総玉軸受の内輪が分割状であるため、正確に寸法を決めるのが難しいからである。
【００２５】
なお、本発明は、設計変更可能であって、例えば、総玉軸受３の転動部材は、ボールに限定されず、コロやニードル状の転動部材を用いるも良い。軸２は、先端部２Ａをカシめて総玉軸受３に固着しているが、ボルトやナットを用いて螺着する構造とするも良い。
【００２６】
以上のように、引出し用ローラ構造は、相手部材に接触して転動する合成樹脂製外環体１０と、外環体１０に内嵌されてラジアル内径側から支持する総玉軸受３とを、備え、総玉軸受３を被覆する第１防塵用カバー部材６・第２防塵用カバー部材７を有するので、冷蔵庫やキャビネット等の寸法の限られた狭いスペースにも設置できるコンパクトな設計で、かつ、大きな荷重を支持することができる。第１防塵用カバー部材６・第２防塵用カバー部材７により、小さなゴミや埃が総玉軸受３の隙間９に侵入するのを防止でき、潤滑油１３が漏出するのを抑制してスムーズな回転を長期間保持できる。
【００２７】
また、第１防塵用カバー部材６及び第２防塵用カバー部材７は、合成樹脂製であるので、適度な弾性を有し、かつ、安価に製造できる。
【００２８】
また、総玉軸受３は、外環体１０の内周面に装着される外輪４と、内輪５と、複数のボール８とを、有し、外輪４と内輪５の間にて複数の該ボール８が転動自在となるように組み立てられ、複数のボール８と外輪４・内輪５との隙間９には、潤滑油１３が入れられて、隙間９が第１防塵用カバー部材６・第２防塵用カバー部材７によって閉鎖されているので、複数のボール８で荷重を分担でき、外環体１０のサイズを変更することなく重荷容量を増やすことができる。ボール８と内輪５の接触による騒音を低減でき、ボール８相互の摩耗を抑制できる。潤滑油１３の漏出を抑制して、スムーズな回転を保持できる。
【００２９】
また、総玉軸受３を組立てる前に、インサート成型にて、第１防塵用カバー部材６が、外環体１０と外輪４に一体状に挟着され、総玉軸受３を組立てた後に、外環体１０のラジアル内径側の小凹周溝部１１に、第２防塵用カバー部材７を弾性変形させつつ外周端縁１８を嵌め込んで取付けられたので、外環体１０と総玉軸受３の同心度を高精度に保つことができ、かつ、第２防塵用カバー部材７を簡単に取り付けることができる。
【００３０】
また、本発明の引出し用ローラ構造の製造方法は、総玉軸受３の組立て前の半製品としての外輪４に、円環状の第１防塵用カバー部材６を組み合わせて、インサート成型にて、外輪４を外嵌状に被覆する合成樹脂製外環体１０を一体に形成すると共に第１防塵用カバー部材６を外環体１０と外輪４に挟着状に保持させ、次に、外輪４のラジアル内径側に複数のボール８を全周にわたって配置し、複数のボール８を外輪４と内輪５の間に転動自在として挟み込むようにして、総玉軸受３を組立て、そして、総玉軸受３のボール８と外輪４・内輪５の隙間９に潤滑油１３を入れ、次に、外環体１０のラジアル内径側に形成された小凹周溝部１１に、円環状の第２防塵用カバー部材７を弾性変形させつつ外周端縁１８を嵌め込んで取付け、内輪５に軸２を挿通して固着するので、相手部材に接触して転動する外環体１０を回転軸心に対して偏心させることなく形成でき、かつ、第１防塵用カバー部材６を確実に外輪４に取り付けることができる。また、総玉軸受３を組立てた後、第２防塵用カバー部材７を簡単に取り付けることができ、小さなゴミや埃が総玉軸受３に侵入するのを防止でき、かつ、潤滑油１３の漏出を抑制して長期間保持できる。
【００３１】
また、総玉軸受３の組立て前の半製品としての外輪４に、円環状の第１防塵用カバー部材６を組み合わせて、インサート成型にて、外輪４を外嵌状に被覆する合成樹脂製外環体１０を一体に形成すると共に第１防塵用カバー部材６を外環体１０と外輪４に挟着状に保持させ、次に、外輪４のラジアル内径側に複数のボール８を全周にわたって配置し、複数のボール８を外輪４と内輪５の間に転動自在として挟み込むようにして、総玉軸受３を組立て、次に、内輪５に軸２を挿通して固着し、総玉軸受３のボール８と外輪４・内輪５の隙間９に潤滑油１３を入れ、次に、外環体１０のラジアル内径側に形成された小凹周溝部１１に、円環状の第２防塵用カバー部材７を弾性変形させつつ外周端縁１８を嵌め込んで取付けるので、相手部材に接触して転動する外環体１０を回転軸心に対して偏心させることなく形成でき、かつ、第１防塵用カバー部材６を確実に外輪４に取り付けることができる。また、総玉軸受３を組立てた後、軸２を固着して姿勢を安定させてから、第２防塵用カバー部材７を簡単に取り付けることができる。小さなゴミや埃が総玉軸受３に侵入するのを防止でき、かつ、潤滑油１３の漏出を抑制して長期間保持できる。
【符号の説明】
【００３２】
２  軸
３  総玉軸受
４  外輪
５  内輪
６  第１防塵用カバー部材
７  第２防塵用カバー部材
８  ボール
９  隙間
１０  外環体
１１  小凹周溝部
１３  潤滑油
１８  外周端縁
【図１】
0005941688.tif 000002
【図２】
0005941688.tif 000003
【図３】
0005941688.tif 000004
【図４】
0005941688.tif 000005
【図５】
0005941688.tif 000006
【図６】
0005941688.tif 000007
【図７】
0005941688.tif 000008
【図８】
0005941688.tif 000009
【図９】
0005941688.tif 000010
【図１０】
0005941688.tif 000011
【図１１】
0005941688.tif 000012
【図１２】
0005941688.tif 000013